(57)【要約】【目的】  本発明は、スペースを取らず、冷蔵庫の極めて目立つ位置に小袋入りの調味料などの収納物を収納することが可能な小物収納シートを提供する。【構成】  本発明の小物収納シート１３は、上部４、中間部５及び下部６の全ての部分に跨るように合成樹脂フィルムをカットして基部７３を作製し、上部の合成樹脂フィルムの裏側に弱粘着部２を設け、下部の合成樹脂フィルムに、別の合成樹脂フィルムの下辺及び側辺を熱融着等で接着することでポケット部３を形成して作製されるものである。中間部の裏面には２本の折り目線が形成してある。別の合成樹脂フィルムは収納物が見えるように透明としてある。【選択図】  図４
2005233440.tif 000002
【特許請求の範囲】
【請求項１】
裏側に弱粘着部を有する上部と、表側にポケット部を有する下部と、上部及び下部の裏側同士を向き合わせられるように屈曲する中間部とよりなり、ポケット部が布帛状物、ネット状物、合成樹脂フィルムの中の一種以上を用いて形成されていることを特徴とする冷蔵庫用小物収納シート。
【請求項２】
合成樹脂フィルムで中間部を構成し、この合成樹脂フィルムは上部及び下部の一部ないし全部に跨るもので、中間部に曲げ加工が施されていることを特徴とする請求項１に記載の冷蔵庫用小物収納シート。
【請求項３】
弱粘着部が合成樹脂フィルムに接着された多孔性樹脂シートであり、中間部を屈曲させて上部及び下部の裏側同士を向き合わせて、多孔性樹脂シートの粘着面を合成樹脂フィルムに仮着してなることを特徴とする請求項２に記載の冷蔵庫用小物収納シート。
【発明の詳細な説明】
【技術分野】
【０００１】
本発明は、冷蔵庫のドアポケットや仕切板に係止して、小袋入りの調味料などを収納する冷蔵庫用小物収納具に関する。
【背景技術】
【０００２】
家庭用冷蔵庫は、通常、扉の内側にドアポケットが設けられており、ポケット内に瓶や缶入りの飲料水等が収納できるようにしてある。また、冷蔵庫に入れる品物を整頓するため、従来より、別売の収納具が提案されている。例えば、ドアポケットの縁に引っかけられるように引掛け縁（フック）を有する練りからし等のチューブホルダーが知られている。
【特許文献１】実開平第５−７９３７７号公報
【発明の開示】
【発明が解決しようとする課題】
【０００３】
ところで、収納具を厚さのある成型品とした場合、扉の対面側の状態によっては対面の物とぶつかってしまうという問題がある。また、家庭用冷蔵庫に収納する品物の中で、小袋入りの調味料等の小物は、大物に隠れてしまってその存在を忘れてしまい、重複して購入してしまうようなこともある。
【０００４】
本発明は、上記のような問題に鑑みてなされたものであって、スペースを取らず、冷蔵庫の極めて目立つ位置に小袋入りの調味料などの収納物を収納することが可能な小物収納シートを提供するものである。
【課題を解決するための手段】
【０００５】
本発明は、ドアポケットや仕切板の表面が平滑面で形成されていることに着目し、弱粘着性の再剥離可能な粘着部を利用して、冷蔵庫に小物収納具を容易に取り付けたり取り外したりすることができないかを検討してなされたものである。すなわち、本発明の冷蔵庫用小物収納シートは、裏側に弱粘着部を有する上部と、表側にポケット部を有する下部と、上部及び下部の裏側同士を向き合わせられるように屈曲する中間部とよりなり、ポケット部が布帛状物、ネット状物、合成樹脂フィルムの中の一種以上を用いて形成される構成である。
【０００６】
冷蔵庫用小物収納シートの好ましい態様は、合成樹脂フィルムで中間部を構成し、この合成樹脂フィルムは上部及び下部の一部ないし全部に跨るもので、かつ中間部に曲げ加工が施されている。
【０００７】
冷蔵庫用小物収納シートのさらに好ましい態様は、弱粘着部が合成樹脂フィルムに接着された多孔性樹脂シートであり、中間部を屈曲させて上部及び下部の裏側同士を向き合わせ、多孔性樹脂シートの粘着面を合成樹脂フィルムに仮着してなるものである。
【発明の効果】
【０００８】
本発明の冷蔵庫用小物収納シートは、冷蔵庫のドアポケットの前面壁の天辺にその中間部の曲がる部分を位置合わせし、前面壁の後面に上部を弱粘着部を介して貼り付けることで、前面壁の前面側にポケット部を吊り下げられるので、ほとんど邪魔になることなく小物を収納するスペースを構築できるとともに、この収納シート自体が糊残りなく取り付け取り外し自在となるものである。また、ドアポケットではなく、冷蔵庫内に水平に置かれている仕切板の前辺にその中間部の曲がる部分を位置合わせして、仕切板の上面に上部を弱粘着部を介して貼り付けることで、この収納シートは、仕切板の前面側にポケット部を吊り下げられ、ドアポケットに取り付けた場合と同様な効果を奏す。そして、この収納シートは、取り付け取り外し自在とするために弱粘着としているのにも拘わらず、この収納シートの重量等による弱粘着部に働く剥離力はズレ方向のみとなるので剥がれづらい。この収納シートは中間部が単に屈曲又は湾曲する構造としてあるので、フック構造に比べて取り付け取り外しやい。特に、この収納シートはドアポケットに取り付けたときに効果が絶大である。
【０００９】
また、この収納シートは、合成樹脂フィルムで中間部を構成し、この合成樹脂フィルムが上部及び下部の一部ないし全部に跨るように構成すれば、それ自体の保形性が高まるとともに、中間部に曲げ加工を施して上記と同様に冷蔵庫のドアポケット（又は仕切板）に取り付けた場合、弱粘着部とドアポケット等との界面に働く剥離力は局所に集中することなく全体に分散するので、ドアポケット等に一層しっかりと取り付けることができる。
【００１０】
さらに、弱粘着部が合成樹脂フィルムに接着された多孔性樹脂シートであり、中間部を屈曲させて上部及び下部の裏側同士を向き合わせて、多孔性樹脂シートの貼り付け面を合成樹脂フィルムに仮着することで、弱粘着部の貼り付け面に別途離型シートを仮着しておく必要がなく、離型シートを剥がす手間を省くことができる。
【発明を実施するための最良の形態】
【００１１】
以下、本発明の冷蔵庫用小物収納シートをドアポケット２０に取り付ける場合を例にとって具体的に説明する。本発明の冷蔵庫用小物収納シート（以下単に収納シートと言う）１は、図１に示すように、ドアポケットの前面壁２１に取り付けられて、出し入れ口を表側に有するポケット部３に小袋入りの調味料等を収納するものである。なお、本発明でいう収納シートの上部４とは、ドアポケットに取り付けられたときに、前面壁の裏面に向き合う部分を言い、中間部５とは前面壁の天辺２２に向き合う部分を言い、下部６とは前面壁の表面に向き合う部分を言う。
【００１２】
本発明の一つの態様の収納シート１１は、図２に示すように、上部４、中間部５及び下部６の全ての部分に跨るように布帛状物（又はネット状物）をカット後、縁取りをして基部７１を作製し、基部の裏側の上方の部分に弱粘着部（不図示）を設け、基部の表側の下方の部分に別の布帛状物（又はネット状物）を３方縫着することでポケット部３を形成して作製されるものである。中間部は布帛状物やネット状物で構成しているためにドレープ性が有り屈曲する。ドレープ性が小さい場合は折り目処理を施す。ポケット部は収納物が見えるようにネット状物で作製すると良い。なお、このように全体を布帛状物やネット状物で作製した場合、形状保持性を高めるために多孔性樹脂シートで弱粘着部２を形成すると良い。
【００１３】
また、本発明の別の態様の収納シート１２は、図３に示すように、上部４及び中間部５の全ての部分と下部６の上方部分とに跨るように合成樹脂フィルムをカットして基部７２を作製し、基部の裏側の上方の部分に弱粘着部２を設け、基部の表側の下方の部分に別途ネット状物で作製した袋を熱融着等で接着することでポケット部３を形成して作製されるものである。中間部の合成樹脂フィルムの裏側には、突条の型の押圧によって直線の折り目が形成してある。折り目線は、２〜５ｍｍの幅を形成するように２本形成する。このように折り目線を２本形成することで、ドアポケットの前面壁の天辺２２を嵌め込むようになるので収納シートを一層しっかりとドアポケットに取り付けることができる。
【００１４】
また、本発明の別の態様の収納シート１３は、図４に示すように、上部４、中間部５及び下部６の全ての部分に跨るように合成樹脂フィルムをカットして基部７３を作製し、基部の裏側の上方の部分に弱粘着部２を設け、下基部の表側の下方の部分に別の合成樹脂フィルムの下辺及び側辺を熱融着等で接着することでポケット部３を形成して作製されるものである。中間部は図３の収納シートの態様と同じく２本の折り目線が形成してある。別の合成樹脂フィルムは収納物が見えるように透明としてある。図３のような態様で有れば、製造コストを抑えることができる。
【００１５】
また、図５に示すように、本発明の収納シート１は、弱粘着部２が合成樹脂フィルムの裏側の上方部分に接着された多孔性樹脂シートであり、中間部５を屈曲させて上部４及び下部６の裏側同士を向き合わせ、多孔性樹脂シートの貼り付け面を合成樹脂フィルムの裏側の下方部分に仮着してなるものである。この際、合成樹脂フィルムの仮着面には離型処理をしておいても良い。このようにすることで、収納シートの使用時に離型シートを剥がす必要がなく、またドアポケットより収納シートを取り外して収納シート自体を保管する場合も別途離型シートを仮着する必要がない。
【００１６】
図２〜図４の収納シートの態様において、弱粘着部は中間部の屈曲する位置（中間部の上縁の位置）の直近に形成する。具体的には、上方の折り目線より１０mm以内、好ましくは５mm以内の位置に弱粘着部の下縁（弱粘着部の中間部寄りの縁）が配置されるようにする。屈曲する位置より弱粘着部が離れていると、収納物の出し入れの際に中間部がドアポケットの前面壁の天辺より離れて浮き上がりやすい。中間部が浮き上がると弱粘着部とドアポケットとの間に働く剥離力が局所に集中して弱粘着部が剥がれてしまうことがある。
【００１７】
また、ポケット部の上縁（出し入れ口）は、中間部の屈曲する位置（中間部の下縁の位置）より１０〜４０ｍｍだけ離れた位置に配置されるようにする。具体的には下方の折り目線より１０〜４０ｍｍの位置にポケット部の上縁が配置されるようにする。この間の距離が近いと、収納物出し入れの際に、弱粘着部とドアポケットとの間に剥離力が直に働きやすくなってしまう。この間の距離が遠いとスペースが無駄になる。
【００１８】
弱粘着部は、取り外し時に対象物に糊残りが発生しないように粘着力を低くしてあり、例えば、粘着樹脂の組成を考慮する方法、粘着剤に界面活性剤を添加する方法、アクリル系感圧接着剤にシリコーン感圧接着剤を混合する方法等で作製した粘着剤によって形成されるもので、接着処理した布帛状物、ネット状物又は合成フィルムにコーティングされて収納シートに設けられる。あるいは弱粘着部は、多孔性樹脂シートを布帛状物、ネット状物又は合成フィルムに接着剤を介して収納シートに設けられる。
【００１９】
ドアポケットと弱粘着部との貼り付き力は、（貼り付け面に対して垂直に引き剥がそうとした場合の貼り付き力）を０．１〜１Ｎ／ｃｍ２となるように弱粘着部を調製する。この程度の貼り付き力とすることで、収納シートをドアポケットに糊残りなく係止したり取り外したりすることができる。
【００２０】
多孔性樹脂シートは、機械発泡させた合成樹脂エマルジョンをドクターコータ等のコーティング装置でＰＥＴフィルム等のセパレータの上に固化後の厚さ０．５〜３ｍｍ、固化後の空隙率３０〜８０％になるようにコーティングして加熱乾燥することで作製される。このようにして作製される多孔性樹脂シートは、それぞれの気泡が隣接する気泡や外部と連通しているので多少の凹凸にも追従しやすい柔軟性を有し、そのために前面壁の裏面に十分密着し貼り付くものである。発泡機としてはオークスミキサー等が利用される。合成樹脂エマルジョンは、アクリル樹脂、エチレン酢酸ビニル樹脂、塩化ビニル樹脂、ウレタン樹脂等のエマルジョンに、整泡剤、架橋剤、粘度調整剤、充填材等を添加したものが利用される。エマルジョンは例えば市販の「ボンコート３５０」（大日本インキ化学工業製）、「Ｆ４３９Ｃ」（イーテック製）等を用いることもできる。
【００２１】
布帛状物としては織物や編物が利用でき、ネット状物としてはラッセル編等が利用できる。合成樹脂フィルムは、ＰＥＴ、ポリ塩化ビニール、ポリスチレン、ＡＢＳ樹脂、ポリエチレン、ポリプロピレン等の熱可塑性樹脂を原料とする厚み０．０５〜０．５ｍｍのもので可撓性を有する素材が利用できる。ポケット、基部７２又は基部７３を構成する合成樹脂フィルムの硬さ（ＪＩＳＫ７２１５のタイプＤデュロメータ硬さ）は３０〜７０が好適である。
【００２２】
本発明の収納シートの大きさは、特に限定されるものではないが、ポケット部は深さが４０〜１００ｍｍ、幅が１５０〜３００ｍｍであり、弱粘着部はポケット部幅と同じ長さで、幅が１５〜３０ｍｍである。
【図面の簡単な説明】
【００２３】
【図１】本発明の冷蔵庫用小物収納シートをドアポケットに係止させた状態を示す斜視説明図。
【図２】本発明の一つの態様の冷蔵庫用小物収納シートの正面説明図。
【図３】本発明の別の態様の冷蔵庫用小物収納シートの斜視説明図。
【図４】本発明のさらに別の態様の冷蔵庫用小物収納シートの斜視説明図。
【図５】本発明の冷蔵庫用小物収納シートをドアポケットや仕切板に係止する前の側面説明図。
【符号の説明】
【００２４】
１    冷蔵庫用小物収納シート
２    弱粘着部
３    ポケット部
４    上部
５    中間部
６    下部
１１  冷蔵庫用小物収納シート
１２  冷蔵庫用小物収納シート
１３  冷蔵庫用小物収納シート
２０  ドアポケット
【図１】
2005233440.tif 000003
【図２】
2005233440.tif 000004
【図３】
2005233440.tif 000005
【図４】
2005233440.tif 000006
【図５】
2005233440.tif 000007